(57)【要約】      （修正有）【課題】単純な方法で体を完全に乾燥させる装置を提供する。【解決手段】乾燥装置は、一連の空気吹出口２を備えた枠１形の構造と、前記枠に連結され水にさらされていない前記枠の側面に配置された操作パネル３とを有する。操作パネル３により、空気の温度、空気噴流の速度、及び空気が発射される領域（上部又は頭、中央領域又は体、下部領域又は下半身）を選択することができる。操作パネル３は、容易に使用できる高さ及び位置に固定され、シャワーの内側か又は外側に配置されるかどうかに関わらず耐水である。【選択図】図３
0003208400.tif 000002
【実用新案登録請求の範囲】
【請求項１】
内側に一連の空気吹出口（２）を有する枠（１）の形の構造と、前記枠（１）に接続された操作パネル（３）から構成されることを特徴とする、体を完全に乾燥させる装置。
【請求項２】
前記枠（１）形の構造は、２つの垂直柱と、この２つの垂直柱の上端を接続する上部とを備えることを特徴とする、請求項１に記載の体を完全に乾燥させる装置。
【請求項３】
前記枠（１）は、下端において閉じ、前記下端は、完全に乾燥させるために使用者が立つべき場所を使用者に示す台を有することを特徴とする、請求項１に記載の体を完全に乾燥させる装置。
【請求項４】
前記下部台は、底全体に吹出口（２）を備えており、使用者を両側に手動で最大４５度回転させることができる機構を備えることを特徴とする、請求項３に記載の体を完全に乾燥させる装置。
【請求項５】
前記操作パネル（３）は、空気の温度、空気噴流の速度、空気が発射される領域（上部又は頭、中央領域又は体、下部領域又は下半身）を選択可能であることを特徴とする、請求項１に記載の体を完全に乾燥させる装置。
【考案の詳細な説明】
【技術分野】
【０００１】
本明細書の表題で説明するように、本考案は体を乾燥させるための装置に関し、この装置は、タオル又は他の類似製品のような同一の目的を有する他の既存の手段と比較して、多数の及び重要な利点を提供するために設計され実行される。
【０００２】
本考案の乾燥機構の構造及び設計の特性によって、本装置は、単純な方法で体を完全に乾燥することが可能となる。
【０００３】
この装置の主たる目的は、数秒で体を完全に乾燥させるために体を囲む金属の構造上に配置された一連の高出力の空気吹出口を使用して、体全体を乾燥させることである。
【背景技術】
【０００４】
髪及び手を乾燥させるために空気圧を使用する多数の既知の装置がある。体全体の乾燥についてはそうではなく、現在はタオル又は類似製品のみを用いて行われている。
【０００５】
以下に説明するように、タオル又は他の類似製品を使用した乾燥は、一連の欠点を有する。
【０００６】
運動施設において、ほとんどの使用者は、運動を行った後に体を拭き、一般に使用者は、体を拭くために自分のタオルを持ってくる必要がある。このことは、タオルがスポーツバッグの中で占める空間、並びに、タオルから残りの衣類に放たれる湿気のような一連の欠点を有し、前記湿気は、悪臭を引き起こすと共に残りの衣類に損害を与えかねない。
【０００７】
運動施設が使用者にタオルを提供する場合では、より大きな収納施設を必要とすること、タオルを洗濯するための大量の水を使用すること、環境を汚染する洗剤を使用すること、並びにタオルの洗濯及びアイロンかけのためのより多くの労働力を雇用することのような異なる一連の欠点がある。
【０００８】
運動施設におけるこれらの欠点は、ホテル、病院、住居、スポーツセンター等についても当てはまる。
【０００９】
タオル又はいかなる種類の類似製品を用いた乾燥は、空気を用いた乾燥よりも、体の各部を乾燥させるためにより多くの時間と労力を必要とすることに加えて、肌により有害であることもまた強調されるべきである。
【００１０】
スペイン実用新案第１０７０７５１号のような、従来技術において既知の他の体を乾燥させるための装置があり、この実用新案では、使用者の頭上に位置する先端部に向けて屈曲すること又はアーチ形をなすことによって延伸している頂部を有し、使用者と相対的な高さの中空の柱で構成されるドライヤが説明されている。
【００１１】
体を乾燥させるために設計された従来技術の他のシステムは、太陽エネルギで動くボディドライヤを備え、このボディドライヤは、密封された空気室を形成する中空壁を有するトンネルのような形状をしている。空気は、この目的のために設計された穴を使用してトンネルの内側の両方の側壁から出てくる。
【００１２】
以上で説明した全ての乾燥装置は、改善され得る側面又は明らかな欠点を有する。タオルの場合では、乾燥方法における固有の欠点は自明であり、前述した実用新案の場合では、欠点は前記装置の設計に起因し、前記装置は、複雑であり高価な上に、頂部と側部で使用者を囲んでおらず、そのため送風された空気を体の各部に接触させるために使用者に絶えず動くことを余儀なくさせる。
【００１３】
従って、本考案の目的は、請求項１に最も基本的な形で説明される以下に説明するような装置を開発することで前述した欠点を克服する乾燥装置を開発することである。
【考案の概要】
【考案が解決しようとする課題】
【００１４】
本考案の目的の装置は、体を完全に乾燥させるための装置であり、すなわち、前記装置が体を全体的に取り囲むと共に体全体に空気を発射し、片側に向かう約４５度の簡易回転が体を完全に乾燥させるのに十分であることから、前記装置は、十分且つ全体的に体を乾燥させることができる。
【課題を解決するための手段】
【００１５】
前記乾燥装置は、アーチ形の、好ましくは、前記乾燥装置がドアの枠のように取り付けられることを可能にし、シャワーに立ち入るドアの枠を置き換えることを含み得る、四角い枠形の構造を有し、そうでなければ前記乾燥装置は、開いた空間に配置されてもよい。
【００１６】
アーチ形の構造は、２つの平行な垂直柱と、この２つの垂直柱の上端に接続する上部とを有し、前記構造が枠の場合には、この上部は、ドアのまぐさ（lintel）の様に水平である。前記枠は、完全に乾燥させるために使用者が立つべき場所を使用者に示す台を備える下端において閉じられていてもよい。
【００１７】
アーチ形の構造は、発射される空気が内面全体を覆うように配置されている前記構造の内側の一連の空気吹出口、好ましくは空気ノズルを特徴とし、これは、前記アーチの下に立つ使用者が空気噴流によって完全に覆われ、完全に乾燥することを意味している。
【００１８】
前記装置は、乾燥オプションを選択するための操作パネルを有している。この操作パネルは、前記装置の構造の近くにあるか又は接続されている。好適な実施形態では、操作パネルは濡れないようにシャワーの外側にあり、もし必要な要求を満たすときはシャワーの内側にあってもよい。
【００１９】
更に、前記装置は、使用者が理想的な位置に立つために使用者が足を置く小さな台を下方中央部に有する。この小さな台は、底全体に空気吹出口を有してもよく、体が確実に乾燥することを保証するために使用者を手動で両側に向かって最大４５度回転させることができる機構を有していてもよい。
【００２０】
前記設備が導入された場所及び使用者のニーズに応じて、前記構造はドアをも有してもよい。
【００２１】
電動送風機は、空気吹出口の異なる領域（上部領域又は頭、中央領域又は体、下部領域又は下半身）を作動させることができる電力調整器と、使用者を十分に乾燥させるための適当な温度の温風を提供することができる一連の抵抗器とを有する。これらの機能の全ては、耐水の操作パネルを介して制御され、この耐水の操作パネルは、一度操作パネルが適切な位置に配置されてしまえば容易に利用可能なように１．４０メートルの高さに配置されたタッチスクリーンを有する。
【００２２】
本考案の好適な実施形態によって、本考案を完全に説明するために、及び本考案の特徴のより良い理解を与えるために、以下に説明する図が表される一式の図面が添付されており、これらは単に説明的な目的であり制限として解釈されるべきではない。
【図面の簡単な説明】
【００２３】
【図１】シャワー及び本考案の目的の装置のアセンブリの断面図。
【図２】装置の正面図。
【図３】乾燥装置の斜視図。
【考案を実施するための形態】
【００２４】
図示した図面と一致する本考案の好適な実施形態を以下に説明する。
【００２５】
図１は、シャワーエリア（４）と、乾燥装置とのアセンブリの断面図である。前記乾燥装置は、一連の空気吹出口（２）を備えた枠（１）形の構造と、前記枠に連結され水にさらされていない前記枠の側面に配置された操作パネル（３）とを有する。
【００２６】
図２は、使用者を完全に乾燥させるという目的を有し、前記枠の内側の空間を覆う空気噴流（５）を発射する空気吹出口（２）を示す。
【００２７】
全ての図は、前記枠に連結した操作パネル（３）を示しており、この操作パネルにより、空気の温度、空気噴流の速度、及び空気が発射される領域（上部又は頭、中央領域又は体、下部領域又は下半身）を選択することができる。この操作パネルは、操作パネルが容易に使用されることを許容する高さ及び位置に固定され、前記シャワーの内側か又は外側に配置されるかどうかに関わらず耐水であるだろう。
【００２８】
前記装置の上部は、電動送風機と、使用者によって選択された温度に応じて空気を暖める抵抗器とを備える。
【００２９】
本考案の性質と本考案を実際に運用する方法を十分に説明したことで、本考案の最も基礎的な態様を模倣してはいるが例示した詳細と異なる本考案の他の実施形態は可能であり、それらは、本考案の最も基礎的な原理を改変、変更又は修正しない限りはこの実用新案によって等しく保護されるということがこれによって言える。
【符号の説明】
【００３０】
１  枠
２  空気吹出口
３  操作パネル
４  シャワーエリア
５  空気噴流
【図１】
0003208400.tif 000003
【図２】
0003208400.tif 000004
【図３】
0003208400.tif 000005